【手続補正書】
【提出日】平成17年6月15日(2005.6.15)
【手続補正１】
【補正対象書類名】明細書
【補正対象項目名】特許請求の範囲
【補正方法】変更
【補正の内容】
【特許請求の範囲】
【請求項１】  変更された第１信号が再生される時に前記変更された第１信号のうちの少なくとも１つが誤って第２信号として再生されるように、データ内の第１信号を変更して変更されたデータを作る変更ステップと、
前記変更されたデータを光ディスク上に記録する第１記録ステップとを含む光ディスク上にコピー・プロテクトされた形でデータを記録する方法。
【請求項２】  前記第１信号および前記第２信号が、連続する１の間に少なくとも２つの０を有するデータを表すことを特徴とする請求項１に記載の方法。
【請求項３】  第１信号を含むデータを受け取るステップと、
前記第１信号の少なくとも１つのうちの一部分を形成するピットが延長されるように、光ディスクの第１区域に前記データを記録する第１記録ステップとを含むコピー・プロテクトされた形で光ディスクにデータを記録する方法。
【請求項４】  第１信号を含むデータを受け取るステップと、
前記第１信号の少なくとも１つのうちの一部分を形成するピットが短縮されるように、光ディスクの第１区域に前記データを記録する第１記録ステップとを含むコピー・プロテクトされた形で光ディスクにデータを記録する方法。
【請求項５】  第１の所定の回数だけ光ディスクの第１区域からテスト・データを再生する第１再生ステップと、
前記第１の所定の回数だけ再生された前記テスト・データに基づいて、前記テスト・データを表す統計データを生成する第１生成ステップと、
前記統計データに基づいて、前記光ディスクが正当なコピーであるかどうかを判定する第１判定ステップとを含む光ディスクを認証する方法。
【請求項６】  前記生成ステップが、
前記テスト・データの各部分について、前記位置に現れる各信号が前記第１の所定の回数の間に再生される回数を判定する第２判定ステップと、
前記テスト・データ内の各位置に対応する前記統計データとして、閾値を超える関連する回数を有する、前記位置に現れる前記信号のうちの１つを生成する第２生成ステップとを含むことを特徴とする請求項５に記載の方法。
【請求項７】  第１の所定の回数だけ光ディスクの第１区域からテスト・データを再生するステップと、
前記テスト・データ内の位置のそれぞれについて、前記位置に現れる各信号が、前記第１の所定の回数の間に再生される回数を判定するステップと、
前記テスト・データ内の各位置に対応する統計データとして、閾値を超える関連する回数を有する、前記位置に現れる前記信号のうちの１つを生成するステップとを含むコピー・プロテクトされた光ディスクからデータを再生する方法。
【請求項８】  第１の所定の回数だけ光ディスクの第１区域からテスト・データを再生するステップと、
前記テスト・データ内の位置のそれぞれについて、前記位置に現れる各信号が、前記第１の所定の回数の間に再生される頻度を判定するステップと、
前記テスト・データ内の各位置に対応する統計データとして、閾値を超える関連する頻度を有する、前記所定の位置に現れる信号のうちの１つを生成するステップとを含むコピー・プロテクトされた光ディスクからデータを再生する方法。
【請求項９】  光ディスクにデータを記録するための光ディスク記録装置（２０）と、
前記光ディスクに変更された第１信号を含む変更されたデータを記録するために前記光ディスク記録装置（２０）を制御するコントローラ（１８、１６）とを含み、
前記変更された第１信号が再生される時に、前記変更された第１信号のうちの少なくとも１つが、誤って第２信号として再生されるように、前記変更された第１信号が変更されるコピー・プロテクトされた形で光ディスクにデータを記録するための装置。
【請求項１０】  前記第１信号および前記第２信号が、連続する１の間に少なくとも２つの０を有するデータを表すことを特徴とする請求項９に記載の装置。
【請求項１１】  前記変更された第１信号が、前記第１信号のリーディング・エッジおよびトレーリング・エッジのうちの少なくとも１つでの進みまたは遅れのうちの少なくとも１つによって変更されていることを特徴とする請求項９に記載の装置。
【請求項１２】  前記変更された第１信号が、時間領域での前記第１信号の一部分の短縮および延長のうちの１つによって変更されていることを特徴とする請求項９に記載の装置。
【請求項１３】  前記変更されない第１信号の前記一部分が、０の値を有するデータを表すことを特徴とする請求項１２に記載の装置。
【請求項１４】  前記変更された第１信号が再生される時に、前記変更された第１信号のうちの少なくともランダムな１つが、誤って前記第２信号として再生されるように、前記変更された第１信号が変更されていることを特徴とする請求項９に記載の装置。
【請求項１５】  未変更の第１信号および前記第２信号が、それぞれ、後続の１の間の０の個数が異なる第１コードおよび第２コードを表すことを特徴とする請求項９に記載の装置。
【請求項１６】  前記変更された第１信号の一部分を形成するピットが、未変更の第１信号を記録する時に形成される同一のピットより長くなるように前記変更された第１信号を記録すべく、前記コントローラ（１８、１６）が前記光ディスク記録装置（２０）を制御することを特徴とする請求項９に記載の装置。
【請求項１７】  未変更の第１信号および前記第２信号が、記録される時に、前記第２信号の一部分を形成するピットが、前記未変更の第１信号の対応する一部分を形成する対応するピットより長いという点で異なり、
記録される時に、前記変更された第１信号の前記対応する一部分を形成する前記対応するピットが延長されるように前記変更された第１信号を記録すべく、前記コントローラ（１８、１６）が前記光ディスク記録装置（２０）を制御することを特徴とする請求項９に記載の装置。
【請求項１８】  前記変更された第１信号の一部分を形成するピットが、未変更の第１信号を記録する時に形成される同一のピットより短くなるように前記変更された第１信号を記録すべく、前記コントローラ（１８、１６）が前記光ディスク記録装置（２０）を制御することを特徴とする請求項９に記載の装置。
【請求項１９】  未変更の第１信号および前記第２信号が、記録される時に、前記第２信号の一部分を形成するピットが、前記未変更の第１信号の対応する一部分を形成する対応するピットより短いという点で異なり、
記録される時に、前記変更された第１信号の前記対応する一部分を形成する前記対応するピットが短縮されるように前記変更された第１信号を記録すべく、前記コントローラ（１８、１６）が前記光ディスク記録装置（２０）を制御することを特徴とする請求項９に記載の装置。
【請求項２０】  前記変更されたデータおよび、前記変更されたデータに対応する未変更のデータを、前記光ディスクの第１部分および第２部分に記録するように、前記コントローラ（１８、１６）が前記光ディスク記録装置（２０）を制御することを特徴とする請求項９に記載の装置。
【請求項２１】  前記未変更のデータおよび前記変更されたデータの位置を示す情報を前記光ディスクに記録するように、前記コントローラ（１８、１６）が、前記光ディスク記録装置（２０）を制御することを特徴とする請求項２０に記載の装置。
【請求項２２】  光ディスクにデータを記録するための光ディスク記録装置（２０）と、
第１信号の少なくとも１つのうちの一部分を形成するピットが延長されるように光ディスクの第１区域にデータを記録すべく、前記光ディスク記録装置（２０）を制御するコントローラ（１８、１６）とを含むコピー・プロテクトされた形で光ディスクにデータを記録するための装置。
【請求項２３】  前記第１信号の前記ピットが、０の値を有するデータを表すことを特徴とする請求項２２に記載の装置。
【請求項２４】  前記延長されたピットの長さが、第２信号の一部分を形成する対応するピットの長さより短いことを特徴とする請求項２２に記載の装置。
【請求項２５】  前記第１信号および前記第２信号が、後続の１の間の０の個数が異なる第１コードおよび第２コードを表すことを特徴とする請求項２４に記載の装置。
【請求項２６】  光ディスクにデータを記録するための光ディスク記録装置（２０）と、
第１信号の少なくとも１つのうちの一部分を形成するピットが短縮されるように光ディスクの第１区域にデータを記録すべく、前記光ディスク記録装置（２０）を制御するコントローラ（１８、１６）とを含むコピー・プロテクトされた形で光ディスクにデータを記録するための装置。
【請求項２７】  前記第１信号の前記ピットが、０の値を有するデータを表すことを特徴とする請求項２６に記載の装置。
【請求項２８】  前記短縮されたピットの長さが、第２信号の一部分を形成する対応するピットの長さより長いことを特徴とする請求項２６に記載の装置。
【請求項２９】  前記第１信号および前記第２信号が、後続の１の間の０の個数が異なる第１コードおよび第２コードを表すことを特徴とする請求項２８に記載の装置。
【請求項３０】  光ディスクからデータを再生するための光ディスク再生装置（１００）と、
第１の所定の回数だけ前記光ディスクの第１区域からテスト・データを再生すべく、前記光ディスク再生装置（１００）を制御するプロセッサ（１０２、１０４、１０６）とを含み、
前記プロセッサが、前記第１の所定の回数だけ再生された前記テスト・データに基づいて、前記テスト・データを表す統計データを生成する第１生成ステップと、前記統計データに基づいて、前記光ディスクが正当なコピーであるかどうかを判定する第１判定ステップとを実行する光ディスクを認証するための装置。
【請求項３１】  前記プロセッサ（１０２、１０４、１０６）が、前記テスト・データ内の位置のそれぞれについて、前記位置に現れる各信号が前記第１の所定の回数の間に再生される回数を判定し、前記テスト・データ内の各位置に対応する前記統計データとして、閾値を超える関連する回数を有する、前記位置に現れる前記信号のうちの１つを生成することを特徴とする請求項３０に記載の装置。
【請求項３２】  前記プロセッサ（１０２、１０４、１０６）が、前記統計データを基準データと比較し、前記比較からの出力に基づいて、前記光ディスクが正当なコピーであるかどうかを判定することを特徴とする請求項３０に記載の装置。
【請求項３３】  前記プロセッサ（１０２、１０４、１０６）が、前記光ディスクの第２区域から前記基準データを再生すべく、前記光ディスク再生装置（１００）を制御することを特徴とする請求項３２に記載の装置。
【請求項３４】  前記プロセッサ（１０２、１０４、１０６）が、前記光ディスク上の前記テスト・データおよび前記基準データの位置を示す初期データを前記光ディスクの第３区域から再生すべく前記光ディスク再生装置（１００）を制御し、前記再生された初期データに基づいて、前記テスト・データおよび前記基準データを再生すべく前記光ディスク再生装置（１００）を制御することを特徴とする請求項３３に記載の装置。
【請求項３５】  前記プロセッサ（１０２、１０４、１０６）が、前記光ディスクの第２区域から基準データを再生すべく前記光ディスク再生装置（１００）を制御し、前記統計データおよび前記基準データに基づいて、前記光ディスクが正当なコピーであるかどうかを判定することを特徴とする請求項３０に記載の装置。
【請求項３６】  前記プロセッサ（１０２、１０４、１０６）が、前記光ディスクが不当なコピーであると判定した時に、前記プロセッサが前記光ディスクからのデータの再生を禁止することを特徴とする請求項３０に記載の装置。
【請求項３７】  制御信号に応答して警告を発行するための警告装置（１０８）をさらに含み、
前記プロセッサ（１０２、１０４、１０６）が、前記光ディスクが不当なコピーであると判定した時に、前記プロセッサが前記警告装置（１０８）に制御信号を出力することを特徴とする請求項３０に記載の装置。
【請求項３８】  前記プロセッサ（１０２、１０４、１０６）が、前記テスト・データの位置のそれぞれについて、前記位置に現れる各信号が前記第１の所定の回数の間に再生される頻度を判定し、前記テスト・データ内の各位置に対応する前記統計データとして、閾値を超える関連する頻度を有する、前記位置に現れる前記信号のうちの１つを生成することを特徴とする請求項３０に記載の装置。
【請求項３９】  光ディスクからデータを再生するための光ディスク再生装置（１００）と、
第１の所定の回数だけ前記光ディスクの第１区域からテスト・データを再生するために前記光ディスク再生装置（１００）を制御し、前記テスト・データ内の位置のそれぞれについて、前記位置に現れる各信号が前記第１の所定の回数の間に再生される回数を判定し、前記テスト・データ内の各位置に対応する統計データとして、閾値を超える関連する回数を有する１つを生成する、前記位置に現れる前記信号のうちのプロセッサ（１０２、１０４、１０６）とを含むコピー保護された光ディスクからデータを再生する装置。
【請求項４０】  光ディスクからデータを再生するための光ディスク再生装置（１００）と、
第１の所定の回数だけ前記光ディスクの第１区域からテスト・データを再生するために前記光ディスク再生装置（１００）を制御し、前記テスト・データ内の位置のそれぞれについて、前記位置に現れる各信号が前記第１の所定の回数の間に再生される頻度を判定し、前記テスト・データ内の各位置に対応する統計データとして、閾値を超える関連する頻度を有する、前記位置に現れる前記信号のうちの１つを生成するプロセッサ（１０２、１０４、１０６）とを含むコピー・プロテクトされた光ディスクからデータを再生する装置。
【請求項４１】  テスト・データを格納するテスト区域（５６）であって、前記テスト・データが、変更された第１信号を含み、前記変更された第１信号が、前記変更された第１信号が再生される時に、前記変更された第１信号のうちの少なくとも１つが誤って第２信号として再生されるように変更されているテスト区域を含むデータ構造を格納されたコピー・プロテクトされた記録媒体。
【請求項４２】  前記第１信号および前記第２信号が、連続する１の間に少なくとも２つの０を有するデータを表すことを特徴とする請求項４１に記載のコピー・プロテクトされた記録媒体。
【請求項４３】  基準データを格納する基準区域（５４）であって、前記基準データおよび前記テスト・データが、前記基準データが未変更の第１信号を含むことを除いて同一である基準区域をさらに含む請求項４１に記載のコピー・プロテクトされた記録媒体。
【請求項４４】  前記テスト区域が、変更された第１信号のそれぞれについて、未変更の第１信号が記録される時に形成される同一のピットより長い、前記変更された第１信号の一部分を表すピットを含むことを特徴とする請求項４１に記載のコピー・プロテクトされた記録媒体。
【請求項４５】  前記テスト区域（５６）が、変更された第１信号のそれぞれについて、未変更の第１信号が記録される時に形成される同一のピットより短い、前記変更された第１信号の一部分を表すピットを含むことを特徴とする請求項４１に記載のコピー・プロテクトされた記録媒体。